(57)【特許請求の範囲】
【請求項１】
デジタル放送をアナログ放送の周波数帯に変換して再送信する再送信装置であって、
既存の放送電波の空き帯域を検出する空き帯域検出手段と、
前記既存の放送電波から、地上デジタル放送を復調する復調手段と、
復調されたデータから、放送局や番組の情報であるＳＩデータを取得するＳＩデータ取得手段と、
前記空き帯域から、再送信するアナログ放送の帯域の出力チャンネルを設定するチャンネル設定手段と、
前記放送局や番組の情報と設定された前記チャンネルの情報とを示すチャンネル情報の画像を生成するチャンネル情報画像生成手段と、
前記復調された地上デジタル放送の映像と、前記チャンネル情報画像とを、アナログ放送の周波数帯に変調するアナログ放送変調手段と、
前記デジタル放送のチャンネルが変更されたのを検知して、前記出力チャンネルを変更するチャンネル変更手段と、
既存の放送電波を通過させて出力信号と合成するパススルー手段とを備える
ことを特徴とする再送信装置。
【発明の詳細な説明】
【技術分野】
【０００１】
本発明は、テレビ放送の共同受信システムにおいて地上デジタル放送の番組内容をアナログ放送方式で変調し再送信する再送信装置、特にデジタル放送の空きチャンネルに変換したアナログ放送のチャンネルで再送信し、更に変換したチャンネル情報を示すチャンネルを提供する再送信装置に関する。
【背景技術】
【０００２】
近年、世界的に、テレビ放送のデジタル化が進行している。我が国では、地上デジタル放送への転換のため、２０１１年にアナログ放送が停波される予定である（たとえば、地上デジタル放送の普及を目指す地上デジタル推進全国会議が公表した「デジタル放送推進のための行動計画、ｈｔｔｐ：／／ｗｗｗ．ｓｏｕｍｕ．ｇｏ．ｊｐ／ｊｏｈｏ＿ｔｓｕｓｉｎ／ｄｔｖ／ｚｅｎｋｏｋｕ／ｐｌａｎ．ｈｔｍｌ」等を参照）。
このアナログ放送の停波のために、多数のアナログ放送のテレビジョン受信機器が更新の対象になっている。
しかしながら、病院、学校、ホテル等に導入された、アナログ放送の構内テレビジョン受信機器は、一度に交換・更新することが難しい。これは、予算の関係や、その環境に合わせた特殊な機器を使用している（たとえば、病院のテレビジョン受信機は、ベッドに備え付けになった小型の端末を用いていることがある。）ためである。
【０００３】
そこで、地上デジタル放送をアナログ放送に変換して、構内で再送信を行うことが考えられる。
この種の再送信装置を構成するために、従来からある衛星デジタル放送であるＢＳ放送やＣＳ放送等に対応した再送信装置を基にして、地上デジタル放送用の再送信装置を製作して使用することが考えられる。
この従来からあるＢＳ放送やＣＳ放送の再送信装置は、このＢＳ放送やＣＳ放送の変調方式に対応していないテレビで受信する際に、専用チューナーでＢＳ放送やＣＳ放送の番組内容を受信し、アナログ放送方式で映像を送信することができる。
【０００４】
たとえば、図６を参照すると、従来の再送信装置を用いて、地上デジタル放送を地上アナログ放送の周波数帯に変換して放送する再送信装置として製作した場合に考えられる構成を示す。
【０００５】
この再送信装置の概略構成としては、既存の放送の電波信号を入力する入力端子２０１と、地上デジタル放送の各チャンネルに対応する地上デジタル復調部１０１−１〜１０１−ｎと、電波を分配する分配回路である分配器３１１と、アナログ放送の各チャンネルに対応するＶＳＢ−ＡＭ変調部１６１−１〜１６１−ｎと、電波を増幅するブースター回路等である増幅器２１１、２３１と、電波を混合する混合回路である混合器３２１と、アナログ放送変換された電波信号を出力する出力端子４０１とを備える。
【０００６】
この例では、まず、入力端子２０１から入力された既存の放送の電波信号は、増幅器２１１で増幅され、分配器３１１により、各地上デジタル復調部１０１−１〜１０１−ｎに分配される。
地上デジタル復調部１０１−１〜１０１−ｎは、各地上デジタル放送のチャンネル（物理チャンネル）に対応しており、地上デジタル放送を復調する。
この復調された信号は、物理チャンネル毎に構成されるＶＳＢ−ＡＭ変調部１６１−１〜１６１−ｎにより、地上アナログ放送の周波数帯のチャンネルに再変調されて出力される。
この出力された電波信号は、混合器３２１で混合され、増幅器２３１で増幅されて、出力端子４０１から出力される。
【０００７】
このようにして再送信を行う場合、ＶＳＢ−ＡＭ変調部１６１−１〜１６１−ｎで再送信したチャンネルは通常のチャンネルと異なるため、受信者すべてに対し、再送信するチャンネルに関する情報を伝える必要がある。
チャンネルの情報を伝えるための技術としては、たとえば、特許文献１を参照すると、ケーブルテレビジョンにおいて、ＢＳ放送やＣＳ放送のチャンネルに対応したＳＩ情報（Ｓｅｒｖｉｃｅ  Ｉｎｆｏｒｍａｔｉｏｎ情報）のみを抜き出してデジタルで送信し、また、抜き出したＳＩ情報よりＥＰＧ情報を作成し、デジタルで再送信するデジタル放送再送信装置が記載されている（以下、この特許文献１の技術を、従来技術１とする。）。
【０００８】
従来技術１においては、このようにデジタルで再送信されたＳＩ情報と、デジタルのＥＰＧ情報より、番組のチャンネルの情報を確認することができる。
【０００９】
【特許文献１】特開２０００−３５０１８０号公報
【発明の開示】
【発明が解決しようとする課題】
【００１０】
しかしながら、従来技術１は、デジタル放送に特化しており、また、デジタルのＳＩ情報を取得する専用のセットトップボックスが必要であるという問題があった。
よって、地上デジタルをアナログ放送に変換して再送信する場合には用いることはできないという問題があった。
【００１１】
本発明は、このような状況に鑑みてなされたものであり、上述の課題を解消することを課題とする。
【課題を解決するための手段】
【００１２】
本発明の再送信装置は、デジタル放送をアナログ放送の周波数帯に変換して再送信する再送信装置であって、前記既存の放送電波の空き帯域を検出する空き帯域検出手段と、前記既存の放送電波から、地上デジタル放送を復調する復調手段と、復調されたデータから、放送局や番組の情報であるＳＩデータを取得するＳＩデータ取得手段と、前記空き帯域から、再送信するアナログ放送の帯域の出力チャンネルを設定するチャンネル設定手段と、前記放送局や番組の情報と設定された前記チャンネルの情報とを示すチャンネル情報の画像を生成するチャンネル情報画像生成手段と、前記復調された地上デジタル放送の映像と、前記チャンネル情報画像とを、アナログ放送の周波数帯に変調するアナログ放送変調手段と、前記デジタル放送のチャンネルが変更されたのを検知して、前記出力チャンネルを変更するチャンネル変更手段と、既存の放送電波を通過させて前記出力信号と合成するパススルー手段とを備えることを特徴とする。
【発明の効果】
【００１３】
本発明によれば、地上デジタル放送を地上アナログ放送の周波数帯に変換して放送する再送信装置であり、更にアナログ放送の周波数帯にチャンネルを割り当て、チャンネル情報とともに再送信する、再送信装置を提供することができる。
【発明を実施するための最良の形態】
【００１４】
＜第１の実施の形態＞
〔制御構成〕
図１を参照して説明すると、本発明の実施の形態に係る再送信装置Ｘは、地上デジタル放送の各チャンネルに対応する地上デジタル復調部１００−１〜１００−ｎと、チャンネル情報の画像を生成するチャンネル情報受信多重部１１０（チャンネル情報画像生成手段）と、電波の空き帯域を検出する空き帯域検出部１３０（空き帯域検出手段）と、各部を制御する制御部１５０（ＳＩデータ取得手段、チャンネル設定手段、及びチャンネル変更手段）と、アナログ放送の各チャンネルに対応するＶＳＢ−ＡＭ変調部１６０−１〜１６０−ｎと、アナログ放送のチャンネル情報のチャンネルに対応するチャンネル情報変調部１７０と、外部入力の映像・外部信号をデコード及び変調する変調部１８０と、既存の放送をパススルーする既存放送通過フィルタ１９０（パススルー手段）と、既存の放送の電波信号を入力する入力端子２００と、外部からの映像・音声信号等を入力する外部入力の入力端子２０２と、電波を増幅するブースター回路である増幅器２１０、２２０、２３０と、電波を分配する分配回路である分配器３００、３０５、３１０と、電波を混合する混合回路である混合器３２０、３３０と、既存の放送とアナログ放送の信号に変換された再送信の信号とを出力する出力端子４００とを備えている。
【００１５】
さらに詳しく説明すると、復調部１００−１〜１００−ｎは、チューナモジュールとＯＦＤＭ復調ＬＳＩ及びＭＰＥＧデコーダ等である。
復調部１００−１〜１００−ｎは、それぞれが、別々のチャンネルの地上デジタルの電波信号を復号する。この上で、復調部１００−１〜１００−ｎは、ＴＳデータから、映像信号、音声信号、制御信号とを抜き出してデコードすることにより、これらのアナログ信号を出力する。
さらに、ＭＰＥＧ２−ＴＳ（トランスポート・ストリーム）データ（以下、ＴＳデータとする。）を出力することができる。このＴＳデータには、映像信号、音声信号、制御信号、及び後述するＳＩデータが含まれている。
なお、復調部１００−１〜１００−ｎは、各地域の地上デジタル放送のチャンネル数に十分対応できるだけの数を備えている。加えて、地上デジタル放送のチャンネル数が増加しても、図示しない増設ポートにより、復調部１００−ｎ以降の復調部を追加し、同様に使用することができる。
【００１６】
チャンネル情報受信多重部１１０は、ビデオエンコーダやフレームバッファ等を内蔵した画像信号生成装置である。
チャンネル情報受信多重部１１０は、地上デジタル復調部１００−１〜１００−ｎにより復号された信号を基にして、チャンネル情報を受信してチャンネル情報の画像を生成する。
【００１７】
空き帯域検出部１３０は、シンセサイザチューナやＯＦＤＭ復調ＬＳＩ等である。
この空き帯域検出部１３０は、既存のデジタル放送やアナログ放送の電波等の入力端子２００から入力される入力信号から、電波状況を検知する。この上で、既存のデジタル放送やアナログ放送が放送されている強い電波の帯域と、既存放送が放送されていない電波の空いている帯域を検出して制御部１５０に通知する。
【００１８】
制御部１５０は、ＲＡＭやＲＯＭやフラッシュメモリ等の記憶部を内蔵したＣＰＵやＭＰＵやＤＳＰ等であり、各部の制御を行う。
また、番組情報等を受信し、電波の空いている帯域にＶＳＢ−ＡＭ変調部１６０−１〜１６０−ｎの各チャンネルを割り当てて設定する。
【００１９】
ＶＳＢ−ＡＭ変調部１６０−１〜１６０−ｎは、アナログの映像信号と音声信号とを、それぞれＶＳＢ（Ｖｅｓｔｉｇｉａｌ  Ｓｉｄｅ  Ｂａｎｄ）−ＡＭ変調とＦＭ変調し、有線テレビジョン放送法に準拠したアナログ放送の映像信号と音声信号とに変換する。この変調は、制御部１５０により割り当てられたチャンネルについておこなう。
変調する際の信号の詳細については、後述する。
【００２０】
チャンネル情報変調部１７０は、ＶＳＢ−ＡＭ変調部１６０−１〜１６０−ｎと同等の変調器等である。チャンネル情報変調部１７０は、後述するチャンネル情報の画像を、変調してアナログ電波信号として出力する。
【００２１】
外部信号変調部１８０は、外部入力端子２０２から入力された映像・音声信号について、ＶＳＢ−ＡＭ変調部１６０−１〜１６０−ｎと同様にそれぞれ変調して出力する。
なお、外部信号変調部１８０は、外部からの映像信号がデジタル化された映像・音声信号である場合、ＭＰＥＧデコーダ等により、アナログの映像・音声信号に変換した上で変調することができる。
さらに、外部信号変調部１８０は、ＬＡＮ端子やｉ−ｌｉｎｋ端子等を介したデジタルの信号に関しては、必要に応じて制御部１５０へ送信し、又は制御部１５０からの指示により信号を送信することができる。
【００２２】
既存放送通過フィルタ１９０は、既存の地上デジタル放送やアナログ放送をスルー出力する為のフィルタ回路であり、入力信号をスルー出力する。
【００２３】
〔信号の流れ〕
ここで、再送信装置Ｘの信号の流れについて、更に詳しく説明する。
まず、再送信装置Ｘは、地上デジタル放送の電波（ＲＦ）等の入力信号をアンテナ端子等の入力端子２００から、増幅器２１０に入力する。
次に、増幅器２１０に入力された電波等の入力信号は、増幅器２１０により増幅され、信号レベル損失が補償される。
この信号レベル損失が補償された入力信号は、分配器３００により、地上デジタル復調部１００−１〜１００−ｎと、それ以外（空き帯域検出部１３０と、既存放送通過フィルタ１９０）へと分配される。
分配器３１０は、これらの入力された入力信号と映像信号とを、地上デジタル復調部１００−１〜１００−ｎ等へ分配する。
【００２４】
さらに、Ｓ端子、ビデオ端子、ＨＤＭＩ端子、ＩＥＥＥ１３９４（ｉ−ｌｉｎｋ）端子、ＵＳＢ端子、ＬＡＮ端子、専用端子等である入力端子２０２から、外部からの映像・音声信号を入力することができる。
この外部入力端子２０２から入力された映像・音声信号は、再送信装置Ｘの機能拡張のためのもので、アナログのビデオ信号と音声信号等、又はデジタル化された映像・音声信号を用いることができる。
この外部からの映像・音声信号は、既存のテレビ放送とは別の自主番組放送を放送する際や、後述するサーバ・クライアントシステム等に用いることができる。さらに、後述するサーバ・クライアントシステムにて、再送信するための広告コンテンツ等も入力することができる。
【００２５】
地上デジタル復調部１００−１〜１００−ｎは、分配された入力信号について、地上デジタル放送を含む電波信号からＭＰＥＧ２−ＴＳデータを復調して出力する。
また、上述のＴＳデータから、映像信号と音声信号とを抜き出して、ＭＰＥＧデコーダでアナログ映像・音声信号に変換する。
さらに、上述のＴＳデータのうち、ＳＩデータに関しては、制御部１５０に出力する。
【００２６】
ＶＳＢ−ＡＭ変調部１６０−１〜１６０−ｎは、アナログ映像・音声信号のうち、アナログの映像信号は、ＶＳＢ−ＡＭ変調部１６０−１〜１６０−ｎがＮＴＳＣ仕様のＶＳＢ−ＡＭで再変調する。
音声は、後述するように、制御信号によりミックスダウン等されて、ＦＭ変調されて同様に出力する。
この再送信するためのアナログ放送帯のチャンネルは、制御部１５０により設定され（割り当てられ）る。
【００２７】
また、分配器３００により分配された既存の放送の電波を含む入力信号は、分配器３０５により空き帯域検出部１３０と、既存放送通過フィルタ１９０とに、更に分配される。
空き帯域検出部１３０（空き帯域検出手段）は、分配された入力信号から、再送信のための空いている帯域を検出して、制御部１５０に通知する。
また、制御部１５０は、地上デジタル復調部１００−１〜１００−ｎにより復号された地上デジタル放送のＴＳデータから、ＳＩデータ（ＳＩ  ｄａｔａ：  Ｓｅｒｖｉｃｅ  Ｉｎｆｏｒｍａｔｉｏｎ  ｄａｔａ、又はＰＳＩ／ＳＩデータ）を取得する。ＳＩデータは、各放送のサービス内容が記載されるデータである。
制御部１５０は、上述の検出された帯域とＳＩデータを基にして、ＶＳＢ−ＡＭ変調部１６０−１〜１６０−ｎで再変調される際に用いるアナログ放送帯域のチャンネルの割り当てを決定する。
また、制御部１５０は、この決定した割り当てに従って、ＶＳＢ−ＡＭ変調部１６０−１〜１６０−ｎの変調するチャンネルを設定する。
【００２８】
さらに、制御部１５０は、ＳＩデータよりチャンネル情報を取得する。
具体的に説明すると、ＴＳデータは、複数のプログラム（放送単位）の映像や音声データを扱うことができるＴＳパケットと呼ばれるデータの小単位を基準に送信されてくる。
ＳＩデータは、動画や音声とは別のＰＩＤ（パケット識別子）を持つＴＳパケットとして、ＴＳデータ内に挿入されて送信されている。
ＳＩデータ内には、局名、放送局ロゴ、番組内容等の情報が含まれている。制御部１５０はこれらの情報を、チャンネル情報として地上デジタル復調部１００−１〜１００−ｎから送信されたＳＩデータから取得する。
【００２９】
チャンネル情報受信多重部１１０は、制御部１５０の指示により、この取得されたチャンネル情報と、再送信するチャンネルに関しての情報を主に１つの画面上で合成する。この合成して生成された画像を、チャンネル情報の画像とする。
チャンネル情報変調部１７０は、このチャンネル情報の画像を、アナログ電波信号に変調する。このチャンネル情報の画像のアナログ電波信号は、制御部１５０により設定されている主に１つのチャンネルを使用して送信される。これは、他の再送信するアナログ放送帯域のチャンネルと同様である。
しかし、後述するように、このチャンネルは、あるチャンネル（たとえば、ＶＨＦ帯の２チャンネル等）に固定していることが望ましい。
【００３０】
このチャンネル割り当て・チャンネル情報送信処理については、後の段落で、より詳しく説明する。
【００３１】
混合器３２０は、上述のＶＳＢ−ＡＭ変調部１６０−１〜１６０−ｎと、チャンネル情報変調部１７０で再変調されたアナログ電波信号とを混合する。
さらに、外部からの映像・音声信号に関しては、外部信号変調部１８０がデコードや変調等を行ってアナログ電波信号に変調し、これも混合機３２０により混合する。
【００３２】
また、分配器３０５により分配された既存の放送の電波信号は、既存放送通過フィルタ１９０（パススルー手段）でスルー出力される。
このスルー出力された既存の放送の信号は、増幅器２２０で増幅される。この上で、上述の混合器３２０で混合した信号と、さらに混合器３３０にて混合されて出力される。
増幅器２３０は、この混合された信号を、信号レベル損失を補償するよりさらに増幅し、アンテナ端子等である出力端子から出力信号として送信する。
【００３３】
なお、混合器３２０は、分配機能も含まれているため、特定のチャンネルの信号を図示しない出力ポートより出力することも可能である。
これにより、課金番組のチャンネルを特定の端末向けに送信したり、子供向けの年齢制限がある番組を出力しないように制御することができる。
また、この出力する信号は、ビデオ信号やデジタル信号等の各種信号を用いることができる。
これらの出力する際の設定は、制御部１５０により制御される。
【００３４】
〔再送信のデコード・エンコード〕
ここで、図２を参照し、再送信時の地上デジタル復調部１００−１と、ＶＳＢ−ＡＭ変調部１６０−１を１例として、再送信時のＴＳデータのデコードとアナログ放送信号のエンコードを行う際の処理（再送信のデコード・エンコード）について詳しく説明する。
【００３５】
まず、我が国の地上デジタル放送の電波（ＲＦ）について簡単に説明すると、このＲＦは、ＡＲＩＢ（社団法人  電波産業会）規格により、ＵＨＦ帯の電波に、ＯＦＤＭ変調されて、各周波数帯域ごとに複数のセグメントを物理チャンネルとして割り当てられて送信されている。
地上デジタル復調部１００−１は、この物理チャンネルのうち、一つの番組を構成するセグメントをデコードして、ＭＰＥＧ２の映像データを復号した映像信号１０５−１と、ＭＰＥＧ２ＡＡＣ（アドバンスド・オーディオ・コーデック）等を復号した音声信号１０６−１と、音声がステレオ放送や２カ国語放送や５．１チャンネル音声放送等のどの音声形式であるかを示す制御信号１０７−１とを復号する。
【００３６】
ＶＳＢ−ＡＭ変調部１６０−１は、更に詳しく説明すると、映像のアナログ放送の周波数帯への変換を行うビデオ変調部１６１０−１と、音声のＦＭ変調を行うオーディオ変調部１６２０−１とを備えている。
映像信号１０５−１は、ビデオ変調部１６１０−１により、ＶＳＢ−ＡＭ変調される。
音声信号１０６−１は、制御信号１０７−１に従い、オーディオ変調部１６２０−１により、モノラル音声、ステレオ音声、二カ国語音声のいずれかにＦＭ変調される。
モノラル音声に変調する場合は、構内の端末（テレビジョン受信機）がモノラル音声対応のものであった場合に好適である。このモノラル音声への変調については、制御部１５０により設定可能である。
【００３７】
制御信号１０７−１が５．１チャンネル音声を示していた場合は、オーディオ変調部は、ステレオ音声等にダウンミックスしてＦＭ変調して出力する。
ミックスダウンの方式についても、制御部１５０により設定可能である。
このダウンミックスの形式は、通常の左右信号のみの場合と、ドルビーサラウンド（登録商標）等の各種サラウンド形式に変換する場合が選択可能である。また、二カ国語音声の場合は、主音声と副音声等のどの音声信号を出力するかを選択することも可能である。
これら音声信号の処理は、既存の技術を使って実施できる。
【００３８】
なお、本発明の実施の形態では、各物理チャンネルに対応する地上デジタル復調部１００−１〜１００−ｎを用意するように記載した。
しかし、シリコン・ゲルマニウム、ガリウム・ヒ素、カーボン・ナノチューブ半導体等の高周波で駆動が可能な素子を用いて、複数の物理チャンネルを同時にデコードするように構成することもできる。
【００３９】
〔チャンネル割り当て・チャンネル情報送信処理〕
ここで、チャンネル割り当て・チャンネル情報送信処理について、より詳しく説明する。
地上デジタル放送は放送開始から間もないため、放送設備の増強等によりチャンネル変更が頻繁に行われることがある。よって、従来の再送信装置を用いて地上デジタル放送の再送信を行うと、そのたびに告知の必要が生じるという問題があった。
【００４０】
この問題の解決のため、本発明の実施の形態に係る再送信装置Ｘにおいては、再送信に使う帯域を受信波の状況から判断し、空いている帯域に設定する。また、再送信に使う帯域をチャンネル変更の度に検知して設定する。
この設定を、既存の放送信号を取得する既存放送検出処理と、地上デジタル放送のチャンネル情報の取得・送信処理と、設定チャンネル変更処理により実現する。
これらの処理を、チャンネル割り当て・チャンネル情報送信処理とする。
【００４１】
以下で、図３のフローチャートと、図４の画面例を参照して、チャンネル割り当て・チャンネル情報送信処理ついて詳しく説明する。
この処理は、制御部１５０が内蔵する記憶部のＲＯＭ等に記憶されたプログラム等の指示に従い、各部のハードウェア資源を用いて実行される。
【００４２】
（ステップＳ１０１）
まず、ステップＳ１０１において、制御部１５０は、既存放送検出処理を行う。
既存放送の検出は、事前設定方式と、ＳＩデータ方式と、検波方式の３つの方法を併用して行う。
【００４３】
１．事前設定方式は、まず、既知の放送信号がある場合、再送信するアナログ放送帯域内で、再送信を行わない（送信を禁止する）チャンネルを設定しておく方法である。
この事前設定方式では、再送信装置Ｘの制御部１５０のＲＯＭやフラッシュメモリに記憶された設定プログラムによりチャンネルを設定する。この際に、出力端子に端末を接続するか、再送信装置Ｘの液晶ディスプレイ等の表示装置を参照しつつ、図示しないリモコン等の入力手段を用いて行うのが好適である。
【００４４】
２．ＳＩデータ方式は、デジタル放送のＳＩデータを用いて既存放送の検出を行う方法である。
上述のように、制御部１５０は、地上デジタル復調部位１００−１〜１００−ｎが受信した各地上デジタル放送のＴＳデータより、ＳＩデータを取得している。
ＳＩデータには、ＮＩＴ（Ｎｅｔｗｏｒｋ  Ｉｎｆｏｒｍａｔｉｏｎ  Ｔａｂｌｅ）と呼ばれるデータが含まれている。このＮＩＴには、チャンネル番号と変調方式等の情報が含まれている。
ＳＩデータ方式では、制御部１５０は、このＮＩＴを用いて、各チャンネルの情報を取得して設定する。
【００４５】
３．検波方式は、出力信号に妨害を与えそうな信号を検出し、そのチャンネルを設定禁止にする方法である。
この検波方式を実現するために、空き帯域検出部１３０は、分配器３０５により分配された電波（ＲＦ）の入力信号から、空き帯域と検出された帯域の電波を検波する。この検波した空き帯域と検出された帯域の情報を制御部１５０に送信する。
制御部１５０は、検出された空き帯域に、アナログ放送で再送信するチャンネルを設定する。
この空き帯域としては、既存のＮＴＳＣのアナログ放送の周波数帯で使用されているＶＨＦ帯とＵＨＦ帯が使用可能である。
【００４６】
なお、我が国が２０１１年以降に地上デジタル放送に完全に移行すると、現在使用されているＶＨＦ帯が携帯電話等に割り当てられてられることが決定している。
しかし、本発明の実施の形態に掛かる再送信装置Ｘでは、このようにテレビジョン放送でＶＨＦ帯が使用できなくなった場合でも、ＶＨＦ帯にチャンネルを設定することができる。
これは、再送信装置Ｘは、構内放送に用いる装置のため、電波が漏れる心配が少ないためである。
逆に、電波の漏洩が心配の場合は、上述の１．事前設定方式により、ＶＨＦ帯を使用しないように設定することもできる。
【００４７】
（ステップＳ１０２）
次に、制御部１５０は、ステップＳ１０２において、チャンネル情報取得・送信処理を行う。
具体的には、ＳＩデータから、放送局名や放送番組内容等の地上デジタルのチャンネル情報の文字データと、ＰＮＧ（Ｐｏｒｔａｂｌｅ  Ｎｅｔｗｏｒｋ  Ｇｒａｐｈｉｃｓ）ファイル等である放送局ロゴの画像データ等を取得する。
ＳＩデータは、上述のようにＳｅｒｖｉｃｅ  Ｉｎｆｏｒｍａｔｉｏｎデータの略で、ＭＰＥＧ２−ＴＳデータ中に配置されたサービス内容が記載されるデータであり、ＥＰＧを作成する基ともなるデータである。
実際のチャンネル情報の抽出においては、ＳＩデータのうち、ＳＤＴ（Ｓｅｒｖｉｃｅ  Ｄｅｓｃｒｉｐｔｉｏｎ  Ｔａｂｌｅ）、ＣＤＴ（Ｃｏｍｍｏｎ  Ｄａｔａ  Ｔａｂｌｅ）、ＥＩＴ（Ｅｖｅｎｔ  Ｉｎｆｏｒｍａｔｉｏｎ  Ｔａｂｌｅ）に含まれる情報を使用する。
【００４８】
また、地上デジタル放送においては、これらのＳＩデータは、ＢＳデジタル放送等と違って、自身のチャンネルのデータのみが放送されるという特徴がある。すなわち、地上デジタル放送においては、物理チャンネル毎に、ＳＩデータを取得する必要がある。
このため、制御部１５０は、地上デジタル復調部１００−１〜１００−ｎが復調した複数の物理チャンネルから、同時にこのチャンネル情報を取得することができる。
また、所定の時間、例えば数分ごとに、地上デジタル復調部１００−１〜１００−ｎのうちいずれかの復調部からＳＩデータを取得することもできる。
【００４９】
さらに、このＳＩデータの取得を、所定の時間にのみ行うようにすることも可能である。
たとえば、この時間としては、１日に１回のみ朝５時に取得するといった場合や、毎日１時間おきに取得するといった場合等が考えられる。
【００５０】
チャンネル情報受信多重部１１０は、制御部１５０が上述したチャンネル情報を取得した後に、チャンネル情報の画像を生成する。
このチャンネル情報の画像の生成は、制御部１５０の指示（コマンド）により、チャンネル情報と、アナログ放送の周波数帯に設定されたチャンネルの情報を基に生成することができる。
【００５１】
図４を参照すると、このチャンネル情報の画像の例として、地上デジタル放送の各チャンネルにおいて、放送局のロゴの画像データと、放送局名と、番組内容と、後述するアナログ放送の周波数帯に割り当てられたチャンネルの番号とを一覧表示することができる。
この一覧表示により、地上デジタル放送のどのチャンネルが、どのアナログ放送のチャンネルに割り当てられてるのか、簡便に確認できるという効果が得られる。すなわち、視聴者が各端末（テレビジョン放送受信機）のチャンネルを変更する際に、そのチャンネルの説明が書かれたパンフレット等を見る必要がない。
【００５２】
なお、このチャンネル情報の画像に、実際の放送されている映像データをサムネイル（小画面）表示等のように加えて、内容を確認できるようにすることもできる。
また、各放送番組の映像を、上述のチャンネル情報ともに、所定時間ごとに順に全画面表示するようにすることもできる。
【００５３】
（ステップＳ１０３）
次に、制御部１５０は、設定チャンネル変更処理を行う。
この処理のために、制御部１５０は、デジタル放送の各チャンネルのＳＩデータに含まれるＳＤＴＴ（Ｓｏｆｔｗａｒｅ  Ｄｏｗｎｌｏａｄ  Ｔｒｉｇｇｅｒ  Ｔａｂｌｅ）より、デジタル放送のチャンネル変更期日を取得して、記憶部に記憶しておく。
制御部１５０は、この記憶されたチャンネル変更期日に、上述の既存放送検出処理を行う。すなわち、空き帯域検出部１３０検知した空き帯域に、アナログ放送帯域の再送信のチャンネルを変更して設定する。
なお、デジタル放送のチャンネルの変更を所定の期間（たとえば、１日おき）で検出して、同様の処理を行うようにすることもできる。
【００５４】
〔パススルー処理〕
上述したように、地上アナログ放送から地上デジタル放送への変換は過渡期にあり、構内用の再送信装置においても、アナログ放送用の受信端末しかない場合と、アナログ放送の端末に加えて地上デジタル放送用の受信端末がある場合の両方に対応する必要がある。この地上デジタル放送に対応するためのパススルー処理について詳しく説明する。
【００５５】
まず、上述したように、従来の再送信装置を基にして、単に地上デジタル復調装置に対し、ＶＳＢ−ＡＭにて再変調して出力するという構成の場合について考える。
従来技術である図６の構成を参照すると、単純に、アンテナの出力を入力端子２０１につなぎ、デジタル送信の信号のみを抽出して、再変調した出力信号を出力端子４０１から受信系統の先頭につなぎ込んだ場合、デジタル放送の電波はほとんど減衰してしまうため、デジタル放送を受信することは不可能となる。
よって、デジタル放送についても、再放送されるアナログ放送と並立して視聴することができるようにするためには、上述の従来の再送信装置の他に、分配装置やフィルタ装置等を用意しなくてはならない。
【００５６】
本発明の実施の形態に係る再送信装置Ｘにおいても、入力端子２００には、ＴＶアンテナ等で受信したすべての電波（デジタル放送の電波と、アナログ放送の電波）の入力信号が入力される。
さらに、この入力信号のうち、分配器３００、３０５で分配された一部について、既存の放送（デジタル放送の電波と、アナログ放送の電波）をパス（通過）させる回路である、既存放送通過フィルタ１９０を備えている。
これにより、既存の放送（デジタル放送又はアナログ放送）を受信している端末の視聴者にも影響を与えない。
一方、上述したように、デジタル放送受信を行う術を持たない視聴者に対し、アナログ放送受信装置で、デジタル放送のコンテンツを受信できるよう、各コンテンツをＶＳＢ−ＡＭ変調器で変調して出力することができる。
【００５７】
以上のように構成することにより、本発明の実施の形態に係る再送信装置Ｘは、以下のような効果を得ることができる。
まず、アナログ放送のチャンネルとして再送信したチャンネルは、通常のチャンネルと違い、その施設特有のチャンネル設定となる。
よって、新聞等に記載されるＴＶ番組表などを参照しても、どのチャンネルを設定するか不明である。
そこで、従来の技術を用いて地上デジタル放送をアナログ放送に変換して再送信すると、アナログ端末のどのチャンネルがどの地上デジタルのチャンネルに対応しているのかについて、告知しなければならないという問題があった。
従来は、この再送信による番組供給を行う際の再送信に係るチャンネルの情報は、放送とは別の媒体を用い、視聴者に告知するしかなかった。
【００５８】
さらに、地上デジタル放送は放送開始から間もないため、放送設備の増強等によりチャンネル変更が頻繁に行われることがある。
この場合、従来の再送信装置を用いて地上デジタル放送の再送信を行うと仮定すると、そのたびに告知の必要が生じるという問題があった。
【００５９】
また、従来技術１は、デジタル放送にしか対応できないという問題があった。アナログ放送のチャンネル情報送信することができないという問題があった。
加えて、アナログ放送で再送信する場合に、空いた帯域に動的にチャンネルを設定するということもできなかった。
このため、単純に、従来技術１のデジタル放送により作成されたＥＰＧ情報を基に、アナログ放送で再送信するチャンネルを設定することはできなかった。
【００６０】
また、ＢＳ放送やＣＳ放送とは違い、地上デジタルと地上アナログ放送は、同一の周波数帯域で伝送が行われている。さらに、アナログ放送はいずれ終了して停波し、受信端末の主流はデジタル放送用に置き換わるという問題がある。
このため、切替の過渡期においては、従来の再送信装置を用いて、単純に地上デジタル放送をアナログ放送へ変換して放送するという方式では、既存のアナログチャンネルに妨害を与える可能性があり、問題が生じる。
よって、アナログ放送用の受信端末しかない場合と、地上デジタル放送用の受信端末がある場合の両方に対応する必要があった。
【００６１】
これに対して、本発明の実施の形態に係る再送信装置Ｘは、再送信に使う帯域を受信波の状況から検知・判断し、設定することが可能であるという効果が得られる。
すなわち、本発明の実施の形態に係る空き帯域検出部１３０とチャンネル情報受信多重部１１０により、変化する帯域にチャンネルを動的に割り当てることができ、アナログ放送用の受信端末しかない場合と、地上デジタル放送用の受信端末がある場合の両方に対応することが可能となる。
また、再送信に使うアナログ放送の帯域を、受信状況（受信チャンネル）が変更になった度に検知して、自動で設定を変えることが可能である。
さらに、再送信のチャンネル情報を１画面で視聴者に提供することが可能である。すなわち、端末の視聴者が容易にＴＶのチャンネルを選択する為に、デジタル受信番組情報と、送信チャンネルを視聴者に提供することができる。
【００６２】
これらにより、本発明の実施の形態に係る再送信装置Ｘを用いて再送信されたアナログ放送の視聴者は、視聴までの選局時のタイムラグを少なくすることが可能になる。
すなわち、現在割り当てられているアナログ放送のチャンネルを確認して、すぐに所望のチャンネルを視聴することができる。
地上デジタルのチャンネルが変更された場合でも、チャンネル情報のチャンネルを視聴することで、すぐに変更されたチャンネルを知ることができるためである。
【００６３】
また、チャンネル情報には、上述したように、放送局と再送信チャンネルの他、現在行われている番組内容、放送局のロゴなどを含めることができるため、視聴者は視覚的に分かりやすく、再放送のチャンネルを選択することが可能になる。
これによって、構内放送における視聴者の操作性がよくなるという効果が得られる。
【００６４】
また、これらの効果により、チャンネル変更の際の情報を告知する際の煩雑性を削減することが可能であるという効果が更に得られる。
すなわち、チャンネル情報を視聴者にアナログ放送のチャンネルで送信して提供することで、チャンネルが変更されても、この変更について施設の管理者が紙媒体等で告知する必要はない。たとえば、ホテルの客室に備えるパンフレットを、チャンネル変更の度に、全客室の分、印刷しなくてもよい。
【００６５】
さらに、メンテナンス要員が再送信装置Ｘの設定を行う必要が最小限になる。
これらの効果により、地上デジタル放送のアナログ放送への再送信に係るコストを最小限に抑えることが可能になる。
【００６６】
また、上述ように、従来の再送信装置を用いると、デジタル放送の電波は減衰してしまうために、再送信装置の出力電波を、直接デジタル放送の受信機に接続することはできなかった。
このため、アナログとデジタルの混在した環境では、アンテナから別系統の混合器を用いてデジタル放送と再送信装置の出力電波を混合する必要があった。
しかしながら、この場合は、受信チャンネル変更時には、既存の放送に影響を与えないよう、メンテナンス要員が再送信する際のチャンネルを再設定する必要があった。
【００６７】
これに対して、本発明の実施の形態に係る再送信装置Ｘは、再送信のデコード・エンコード処理と、チャンネル割り当て・チャンネル情報送信処理を行う。
これにより、地上デジタル放送のチャンネル変更時でも、その変更されたチャンネルの帯域に影響を与えないよう、自動でアナログ再送信帯域のチャンネルを変更することができる。
また、本発明はパススルー処理を行うことで、既存の放送については、特に設定を変更することなく、そのまま同様に伝送することができるという効果が得られる。
【００６８】
これらの効果により、アナログ放送のみしか受信できない視聴者と、デジタル放送を受信出来る視聴者の混在するような環境でも用いることができる。
たとえば、病院や学校やホテル等で、予算の関係で全てのアナログ放送の受信機の更新ができないといった場合に適用することができる。
また、更新された既存のデジタル放送を受信可能なテレビジョン受信機は、構内に配信されているＲＦ線を接続するだけでデジタル放送が受信可能になる。
すなわち、将来、アナログ放送の受信端末が地上デジタル放送受信可能な端末に更新された際には、順次、デジタル放送に移行することが可能となるという効果が得られる。
【００６９】
〔サーバ・クライアントシステム〕
次に、本発明の実施の形態に係る再送信装置Ｘを、サーバ・クライアントシステムとして用いる場合について説明する。
２０１１年の地上デジタル放送への完全移行にあたり、視聴者であるユーザーにとっては新受信機の購入などの金銭的負担が生じるという問題がある。
このような中、ＣＳチューナー（「スカパー！」）や携帯電話のような製品は、製品の購入価格を抑える代わりに、購入後に発生する受信料や通話料等で回収を図ることが可能な収益構造となっている。
【００７０】
ここで、地上波のテレビジョン放送は、アナログ放送が無料放送であったという問題がある。
地上デジタル放送においても、この無料放送の仕組みは踏襲され、契約も必要ない。このため、ＣＳチューナーや携帯電話のような、利用者から受信料や通話料で回収を行う収益モデルを構築することはできない。
【００７１】
そこで、機器の提供にスポンサーをつけることが考えられる。このスポンサーに対価を提供する方法として、例えば、機器本体にスポンサー名を印刷したり、製品にチラシを同報したりする等の方法が考えられる。
しかし、これらの方法では、単一の宣伝機会しか得られないため、宣伝対費用の効果を鑑みると、大きなスポンサー料を得ることは難しい。
【００７２】
こうした状況を鑑み、本発明の発明者が鋭意検討したところ、広告のコンテンツを定期的に変更することや、画像として広告のコンテンツを提供することで、より大きなスポンサー料を得ることができると分かった。
この目的のために、本発明の実施の形態に係る再送信装置Ｘを用いることが可能である。
【００７３】
上述したように、再送信装置Ｘは、外部入力の入力端子２０２を備えている。
この入力端子２０２は、再送信装置Ｘを拡張するときに用いると好適である。
また、さらに、サーバからの構内放送用の広告等のコンテンツを直接受信して、制御部１５０によりアナログ放送の帯域のチャンネルに再送信するように設定することが可能である。
この場合のサーバ・クライアントシステムについて、図５を参照してさらに詳しく説明する。
【００７４】
（サーバ・クライアントシステムの制御構成）
図５を参照すると、このサーバ・クライアントシステムとしては、サーバ１０と、再送信装置Ｘの入力端子２０２のＬＡＮ端子等とが、ネットワーク５で接続されている。すなわち、再送信装置Ｘは、クライアントとなる。
再送信装置Ｘは、サーバ１０から広告コンテンツ等を受信し、再送信装置Ｘに接続された複数のアナログ放送のテレビジョン受信機に情報を送信する。
【００７５】
ネットワーク５は、構内ＬＡＮやＷＡＮ等のＩＰネットワーク網等である。このネットワーク５のために、同軸ケーブルを使用したＩＰ伝送装置（ｃ．ＬＩＮＫ）、ＰＬＣ装置、光ファイバー、有線ＬＡＮ、無線ＬＡＮ等を用いることができる。
また、サーバ１０は、ＨＤＤ等の記憶部を備えたＰＣ／ＡＴ互換機や、磁気テープ等の記憶部を備えたコンテンツ送信サーバの専用機等である。
【００７６】
サーバ１０は、再送信装置Ｘの制御部１５０のリクエストに応じて、記憶部に記憶された広告用のコンテンツ等を送信する。これをネットワーク５を介して、再送信装置Ｘの入力端子２０２のＬＡＮ端子等が受信する。
受信された広告等のコンテンツは、地上デジタル放送の電波やＴＳデータ形式、又は広告用のｊｐｇやＰＮＧ等の画像データと音声データであることが好適である。
これらの広告等のコンテンツは、外部信号変調部１８０が変調する。その上で、アナログ放送帯の出力信号に含めることができる。
【００７７】
また、この広告等のコンテンツが含まれた映像のみ、又は逆に広告等のコンテンツが含まれない映像のみを、出力ポートから出力することもできる。
これにより、広告等の収入が必要な視聴者と、それ以外の視聴者を選別することが可能になる。
たとえば、月々、一定の費用を再送信装置の提供者に支払う視聴者に対しては、広告表示を免除する等の構成が可能になる。
【００７８】
さらに、この広告コンテンツが含まれる映像としては、チャンネル情報を送信するための一覧表の画像内にサムネイル画像のように常に表示しておくことができる。ホテル等の場合は、まずは、視聴者がチャンネル情報のページを閲覧するために好適である。
また、視聴者の使用方法によっては、強制的に広告コンテンツを提供するようにすることも可能である。この場合は、例えば、所定の時間、必ず、再送信する特定のチャンネルや、あるいはすべてのチャンネルに広告コンテンツを送信するといったことも可能である。
【００７９】
また、ホテル等のテレビジョン受信機がセットトップボックス等を備えている場合に、これをネットワーク５に接続して連動させることで、広告を閲覧した回数等の情報をネットワーク５でサーバ１０に送信して、広告の課金情報とすることが可能になる。
【００８０】
また、ある所定期間（たとえば、１０ヶ月）を強制的な広告コンテンツの視聴期間とし、以降は広告コンテンツが再放送されない通常の機器として使えるようにすることもできる。この構成の場合は、再送信装置Ｘの制御部１５０のフラッシュメモリやサーバ１０で、強制的な広告コンテンツの視聴期間を設定することも可能である。
【００８１】
以上のように構成することで、構内放送の地上デジタル放送をアナログ放送に変換して再放送する再送信装置において、機器の金銭的負担を最小限に抑えることが可能になる。
これにより、地上デジタル放送への転換を促進することが可能になるという効果が得られる。
【００８２】
なお、上記実施の形態の構成及び動作は例であって、本発明の趣旨を逸脱しない範囲で適宜変更して実行することができることは言うまでもない。
【図面の簡単な説明】
【００８３】
【図１】本発明の実施の形態に係る再送信装置Ｘの制御構成を示すブロック図である。
【図２】本発明の実施の形態に係る再送信装置Ｘのデコード・エンコード処理の制御構成を示すブロック図である。
【図３】本発明の実施の形態に係る再送信装置Ｘのチャンネル割り当て・チャンネル情報送信処理のフローチャートである。
【図４】本発明の実施の形態に係る再送信装置Ｘのチャンネル情報の画面例を示す概念図である。
【図５】本発明の実施の形態に係るサーバ・クライアントシステムの構成図である。
【図６】従来のデジタル放送の再送信装置を、単純に地上デジタル放送の再送信装置に適用した再送信装置の制御構成を示すブロック図である。
【符号の説明】
【００８４】
５  ネットワーク
１０  サーバ
１００−１〜１００−ｎ、１０１−１〜１０１−ｎ  地上デジタル復調部
１０５−１  映像信号
１０６−１  音声信号
１０７−１  制御信号
１１０  チャンネル情報受信多重部
１３０  空き帯域検出部
１５０  制御部
１６０−１〜１６０−ｎ、１６１−１〜１６１−ｎ  ＶＳＢ−ＡＭ変調部
１７０  チャンネル情報変調部
１８０  外部信号変調部
１９０  既存放送通過フィルタ
２００、２０１、２０２  入力端子
２１０、２１１、２２０、２３０、２３１  増幅器
３００、３０５、３１０、３１１  分配器
３２０、３２１、３３０  混合器
４００、４０１  出力端子
１６１０−１  ビデオ変調部
１６２０−１  オーディオ変調部
Ｘ  再送信装置
【図１】
0005139089.tif 000002
【図２】
0005139089.tif 000003
【図３】
0005139089.tif 000004
【図４】
0005139089.tif 000005
【図５】
0005139089.tif 000006
【図６】
0005139089.tif 000007